(57)【要約】  空間指数ブロック符号化（ＳＦＢＣ）通信における干渉を低減する方法および装置が開示される。ＳＦＢＣエンコードが、少なくとも１対のシンボルに対して実施される。これらのシンボルは、セルに割り当てられた周波数割当てパターンに従って副搬送波に割り当てられる。相異なる周波数割当てパターンが、隣接するセルに割り当てられる。ネットワーク内のセルが複数のグループに分割され、異なる周波数割当てパターンをセルの各グループに割り当てることができる。周波数割当てパターンは、あるセル内の１対のシンボルにマッピングされた副搬送波が、隣のセル内の１対のシンボルにマッピングされた副搬送波にインタレースされるように規定されてもよい。別法として、周波数割当てパターンは、あるセル内の１対のシンボルにマッピングされた副搬送波が隣のセル内でシフトされるように規定されてもよい。
2010527209.tif 000002
【特許請求の範囲】
【請求項１】
空間指数ブロック符号化（ＳＦＢＣ）通信における干渉を低減する方法であって、
セルに割り当てられる周波数割当てパターンに従ってシンボルが副搬送波に割り当てられ、相異なる周波数割当てパターンが隣接するセルに割り当てられる、少なくとも１対の前記シンボルに対してＳＦＢＣエンコードを実施するステップと、
複数の送信アンテナを介して、前記ＳＦＢＣエンコード済みのシンボルを送信するステップと
を具えたことを特徴とする方法。
【請求項２】
セルが複数のグループに分割され、異なる周波数割当てパターンがセルの各グループに割り当てられることを特徴とする請求項１記載の方法。
【請求項３】
前記周波数割当てパターンは、あるセル内の１対のシンボルにマッピングされた副搬送波が、隣のセル内の１対のシンボルにマッピングされた副搬送波にインタレースされるように規定されることを特徴とする請求項１記載の方法。
【請求項４】
前記周波数割当てパターンは、あるセル内の１対のシンボルにマッピングされた副搬送波が隣のセル内でシフトされるように規定されることを特徴とする請求項１記載の方法。
【請求項５】
送信アンテナの数は２であることを特徴とする請求項１記載の方法。
【請求項６】
送信アンテナの数は４であることを特徴とする請求項１記載の方法。
【請求項７】
セルが、７つのグループに分割され、７つの異なる周波数割当てパターンの１つが各グループに割り当てられることを特徴とする請求項７記載の方法。
【請求項８】
空間指数ブロック符号化（ＳＦＢＣ）通信における干渉を低減する方法であって、
ＳＦＢＣエンコード済みのシンボルを受信するステップと、
相異なる周波数割当てパターンが隣接するセルに割り当てられ、サービングセルに割り当てられる周波数割当てパターンに従って、異なる副搬送波上の同じシンボルを組み合わせるために、前記受信されたＳＦＢＣエンコード済みのシンボルに対して前処理を実施するステップと、
ＳＦＢＣデコードを実施するステップと
を具えたことを特徴とする方法。
【請求項９】
前記周波数割当てパターンは、あるセル内の１対のシンボルにマッピングされた副搬送波が、隣のセル内の１対のシンボルにマッピングされた副搬送波にインタレースされるように規定されることを特徴とする請求項８記載の方法。
【請求項１０】
前記周波数割当てパターンは、あるセル内の１対のシンボルにマッピングされた副搬送波が隣のセル内でシフトされるように規定されることを特徴とする請求項８記載の方法。
【請求項１１】
空間指数ブロック符号化（ＳＦＢＣ）通信における干渉を低減するための装置であって、
少なくとも１対のシンボルに対してＳＦＢＣエンコードを実施するためのＳＦＢＣエンコーダであって、セルに割り当てられる周波数割当てパターンに従って前記シンボルが副搬送波に割り当てられ、相異なる周波数割当てパターンが隣接するセルに割り当てられる、ＳＦＢＣエンコーダと、
前記ＳＦＢＣエンコード済みのシンボルを送信するためのトランシーバと、
複数のアンテナと
を具えたことを特徴とする装置。
【請求項１２】
セルが複数のグループに分割され、異なる周波数割当てパターンがセルの各グループに割り当てられることを特徴とする請求項１１記載の装置。
【請求項１３】
前記周波数割当てパターンは、あるセル内の１対のシンボルにマッピングされた副搬送波が、隣のセル内の１対のシンボルにマッピングされた副搬送波にインタレースされるように規定されることを特徴とする請求項１１記載の装置。
【請求項１４】
前記周波数割当てパターンは、あるセル内の１対のシンボルにマッピングされた副搬送波が隣のセル内でシフトされるように規定されることを特徴とする請求項１１記載の装置。
【請求項１５】
アンテナの数は２であることを特徴とする請求項１１記載の装置。
【請求項１６】
アンテナの数は４であることを特徴とする請求項１１記載の装置。
【請求項１７】
セルが、７つのグループに分割され、７つの異なる周波数割当てパターンの１つが各グループに割り当てられることを特徴とする請求項１７記載の装置。
【請求項１８】
空間指数ブロック符号化（ＳＦＢＣ）通信における干渉を低減する装置であって、
アンテナと、
ＳＦＢＣエンコード済みのシンボルを受信するためのトランシーバと、
サービングセルに割り当てられる周波数割当てパターンに従って、異なる副搬送波上の同じシンボルを組み合わせるために、前記受信されたＳＦＢＣエンコード済みのシンボルに対して前処理を実施するためのプロセッサであって、相異なる周波数割当てパターンが隣接するセルに割り当てられる、プロセッサと、
ＳＦＢＣデコードを実施するためのＳＦＢＣデコーダと
を具えたことを特徴とする装置。
【請求項１９】
前記周波数割当てパターンは、あるセル内の１対のシンボルにマッピングされた副搬送波が、隣のセル内の１対のシンボルにマッピングされた副搬送波にインタレースされるように規定されることを特徴とする請求項１８記載の装置。
【請求項２０】
前記周波数割当てパターンは、あるセル内の１対のシンボルにマッピングされた副搬送波が隣のセル内でシフトされるように規定されることを特徴とする請求項１８記載の装置。
【発明の詳細な説明】
【技術分野】
【０００１】
本発明は、ワイヤレス通信に関する。
【背景技術】
【０００２】
Ａｌａｍｏｕｔｉタイプの空間周波数ブロック符号化（ＳＦＢＣ）は、その優れた性能と単純な符号化により、２送信アンテナデバイス用の第３世代パートナーシッププロジェクト（３ＧＰＰ）長期的発展（ＬＴＥ）におけるダイバシティ方式として受け入れられている。ＳＦＢＣは、ＳＦＢＣを周波数スイッチ送信ダイバシティ（ＦＳＴＤ）と組み合わせることによって、４送信アンテナデバイスに拡張することができる。
【０００３】
空間時間符号（ＳＴＣ）のＡｌａｍｏｕｔｉ方式は、データの複数の冗長コピーの送信を伴う。ＳＦＢＣでは、送信しようとするデータストリームがブロックでエンコードされ、離隔されたアンテナの間で、また複数の副搬送波に跨って分配される。複数の送信アンテナを有する必要がある一方、複数の受信アンテナを有する必要はないが、複数の受信アンテナを有すると性能が改善される。
【０００４】
ＳＦＢＣ、およびＳＦＢＣ／ＦＳＴＤなどその変形形態は、干渉のない環境において良好な性能を達成するが、セル内干渉（ＩＣＩ）に対する望ましくない構造を押しつける。従来の２送信アンテナシステムでは、第１のノードＢがＳＦＢＣエンコードデータを第１のユーザ機器（ＵＥ）に送信する。同時に、隣接するノードＢ（第２のノードＢ）が、同じ周波数帯の上でＳＦＢＣエンコードデータを第２のＵＥに送信する。第２のノードＢから第２のＵＥへの送信は、第１のＵＥに対する干渉として働く。
【０００５】
第１のノードＢ内のＳＦＢＣエンコーダは、２つの着信データ信号ｓ１およびｓ２を、以下の周知のＡｌａｍｏｕｔｉ方式、すなわち、
【０００６】
【数１】
2010527209.tif 000003
【０００７】
に従ってエンコードし、上式で、行インデックスは空間インデックスであり、列インデックスは周波数インデックスである。
【０００８】
同様に、第１のＵＥに対する干渉として働く、第２のノードＢからのＳＦＢＣエンコードデータは、以下のように表すことができる。すなわち、
【０００９】
【数２】
2010527209.tif 000004
【００１０】
２つの隣接周波数副搬送波についてチャネル応答が等しいと仮定すると、第１のＵＥに関連するチャネル係数行列Ｈ、および第２のＵＥに関するチャネル係数行列Ｇは、以下の通りである。すなわち、
Ｈ＝（ｈ1  ｈ2）、式（３）
Ｇ＝（ｇ1  ｇ2）、式（４）
【発明の概要】
【発明が解決しようとする課題】
【００１１】
上式ではＵＥで単一の受信アンテナが使用されることが仮定されている。しかし、これは複数のアンテナに拡張することができる。２つの副搬送波で第１のＵＥのところで受信される信号は、以下のように記述することができる。すなわち、
【００１２】
【数３】
2010527209.tif 000005
【００１３】
式（５）における第２項は、干渉項である。ｉ１によって引き起こされる干渉は（ｇ1  ｇ2）によって張られ、ｉ２によって引き起こされる干渉は（ｇ2*  −ｇ1*）によって張られる。（ｇ1  ｇ2）と（ｇ2*  −ｇ1*）は直交するため、干渉を打ち消すことができない。
【課題を解決するための手段】
【００１４】
空間指数ブロック符号化（ＳＦＢＣ）通信における干渉を低減する方法および装置が開示される。ＳＦＢＣエンコードが、少なくとも１対のシンボルに対して実施される。これらのシンボルは、セルに割り当てられた周波数割当てパターンに従って副搬送波に割り当てられる。相異なる周波数割当てパターンが、隣接するセルに割り当てられる。ネットワーク内のセルが複数のグループに分割され、異なる周波数割当てパターンをセルの各グループに割り当てることができる。周波数割当てパターンは、あるセル内の１対のシンボルにマッピングされた副搬送波が、隣のセル内の１対のシンボルにマッピングされた副搬送波にインタレースされるように規定されてもよい。別法として、周波数割当てパターンは、あるセル内の１対のシンボルにマッピングされた副搬送波が隣のセル内でシフトされるように規定されてもよい。
【００１５】
例として与えられ、添付の図面と共に理解すべきである好ましい実施形態の以下の説明から、本発明についてより詳細に理解することができる。
【図面の簡単な説明】
【００１６】
【図１】インタレーシングを使用する干渉ランダム化方式の一例の図である。
【図２】周波数シフトを使用する干渉ランダム化方式の一例の図である。
【図３Ａ】４送信アンテナ方式用の周波数割当てパターンの例の図である。
【図３Ｂ】４送信アンテナ方式用の周波数割当てパターンの例の図である。
【図３Ｃ】４送信アンテナ方式用の周波数割当てパターンの例の図である。
【図３Ｄ】４送信アンテナ方式用の周波数割当てパターンの例の図である。
【図３Ｅ】４送信アンテナ方式用の周波数割当てパターンの例の図である。
【図３Ｆ】４送信アンテナ方式用の周波数割当てパターンの例の図である。
【図４】セル区分の一例の図である。
【発明を実施するための形態】
【００１７】
「ワイヤレス送受信ユニット（ＷＴＲＵ）」という用語は、以下で参照されたとき、それだけには限らないが、ユーザ機器（ＵＥ）、移動局、固定型もしくは移動型加入者ユニット、ページャ、セルラ電話、携帯情報端末（ＰＤＡ）、コンピュータ、またはワイヤレス環境内で動作することが可能な任意の他のタイプのデバイスを含む。「ノードＢ」という用語は、以下で参照されたとき、それだけには限らないが、基地局、サイトコントローラ、アクセスポイント（ＡＰ）、またはワイヤレス環境内で動作することが可能な任意の他のインターフェース用デバイスを含む。
【００１８】
干渉の直交性を破壊し、その干渉をランダム化するために、相異なる周波数割当てパターンが、隣接するセルに割り当てられ、セルに割り当てられた周波数割当てパターンに従って、ＳＦＢＣエンコードが実施される。たとえば、ネットワーク内のセルが複数のグループに分割され、各グループが、ＳＦＢＣエンコードするために異なる周波数割当てパターンに割り当てられる。同じ副搬送波マッピングパターンを使用するのではなく、セルの各グループが、異なる周波数割当てパターンを使用する。この方式を使用して、隣接するセル同士が、異なる副搬送波割当てパターンを使用する。
【００１９】
隣接するセルの副搬送波割当てパターンは、あるセル内の１対のシンボルにマッピングされた副搬送波が、隣のセル内の１対のシンボルにマッピングされた副搬送波にインタレースされるように、互いにインタレースさせることができる。図１は、周波数インタレーシングを使用する干渉ランダム化方式の一例を示す。ソースノードＢは、２本の送信アンテナを介してシンボルＳ１〜Ｓ４を送る。ＳＦＢＣエンコードするために、１対のシンボルＳ１およびＳ２が副搬送波２３１および２３２にマッピングされ、もう１対のシンボルＳ３およびＳ４が副搬送波２３３および２３４にマッピングされる。また、干渉ノードＢは、２本の送信アンテナを介してシンボルＩ１〜Ｉ４を送る。ＳＦＢＣエンコードするために、１対のシンボルＩ１およびＩ２が副搬送波２３１および２３３にマッピングされ、もう１対のシンボルが副搬送波２３２および２３４にマッピングされる。ソースノードＢおよび干渉ノードＢで２対のシンボルについてマッピングされた副搬送波は、図１に示されているようにインタレースされる。
【００２０】
ＷＴＲＵでの受信シンボルは、以下のように表すことができる。すなわち、
【００２１】
【数４】
2010527209.tif 000006
【００２２】
上式で、α＝ｉ4*／ｉ1、およびβ＝−ｉ3*／ｉ2である。αとβは共に、信号コンステレーションによって決定される確率変数である。これらの２つの変数があるため、干渉の直交性はもはや存在せず、ＳＦＢＣデコード後の残留干渉が、よりランダムになる。
【００２３】
別法として、副搬送波割当てパターンは、あるセル内の１対のシンボルにマッピングされた副搬送波が隣のセル内でシフトされるように、周波数シフトさせることができる。図２は、周波数シフトを使用する干渉ランダム化方式の一例を示す。ソースノードＢは、２本の送信アンテナを介してシンボルＳ１〜Ｓ４を送る。ＳＦＢＣエンコードするために、１対のシンボルＳ１およびＳ２が副搬送波２３１および２３２にマッピングされ、もう１対のシンボルＳ３およびＳ４が副搬送波２３３および２３４にマッピングされる。また、干渉ノードＢは、２本の送信アンテナを介してシンボルＩ１〜Ｉ４を送る。ＳＦＢＣエンコードするために、１対のシンボルＩ１およびＩ２が副搬送波２３０および２３１にマッピングされ、もう１対のシンボルが副搬送波２３２および２３３にマッピングされる。ソースノードＢおよび干渉ノードＢで２対のシンボルについてマッピングされた副搬送波は、図２に示されているように周波数シフトされ、その結果、干渉の直交性はもはや存在せず、ＳＦＢＣデコード後の残留干渉が、よりランダムになる。
【００２４】
上記の２送信アンテナ方式は、４送信アンテナの場合に拡張することができる。ノードＢでは、たとえば図３Ａに示されているように、ＳＦＢＣエンコードが実施される。ＷＴＲＵでは、ノードＢによって使用される周波数割当てパターンに従って、異なる副搬送波上の同じシンボルを組み合わせるために、最初に、ＳＦＢＣデコード前に以下の前処理が実施される。すなわち、
【００２５】
【数５】
2010527209.tif 000007
【００２６】
ｚ１信号およびｚ２信号は、ｓ１およびｓ２の推定値を得るために、第１のＳＦＢＣデコーダに供給され、ｚ３信号およびｚ４信号は、ｓ３およびｓ４の推定値を得るために、第２のＳＦＢＣデコーダに供給される。換言すれば、ＳＦＢＣ−ＦＳＴＤデコードが２つの並列ＳＦＢＣデコードに分解される。各ＳＦＢＣデコーダへの入力は、２送信アンテナシステムの場合と同じ信号および干渉構造を有する。４送信アンテナシステムでは、干渉をランダム化するために、隣接するセルが、上述のインタレースおよび／または周波数シフトによって規定される相異なる周波数割当てパターンを使用する。
【００２７】
４送信アンテナシステムでは、所与の構成（たとえば、４送信アンテナ、４副搬送波、およびコードレート＝１）について、シンボルを検出するために直交形態にならないｙからｚへの変換のための４！＝２４の異なる構成がある。６つの構成例が図３Ａから図３Ｆに示されている。
【００２８】
前処理は、所望の信号および干渉に対して異なる効果を有するため、前処理の結果、干渉構造がランダム化されており、ある種の状況下で良好な性能を達成することができる。
【００２９】
ネットワークを複数のグループに分割することができ、各グループを、異なる周波数割当てパターンに割り当てることができる。図４は、周波数割当てパターン再使用率７でのネットワークセルグループ化の例を示す。図４では、７つのセルのそれぞれが、異なる周波数割当てパターンを使用する。周波数割当てパターンは、各セルにシグナリングするより高いレイヤを介してシグナリングすることができる。
【００３０】
この展開例では、Ｃ２からＣ７の周波数割当てパターンを使用している干渉セルは、直交干渉構造を有さないことになり、一方、内部セルは、Ｃ１の周波数割当てパターンを使用し、それ自体のシンボルを検出する。
【００３１】
実施形態
１．ＳＦＢＣ通信における干渉を低減する方法。
【００３２】
２．セルに割り当てられる周波数割当てパターンに従ってシンボルが副搬送波に割り当てられ、相異なる周波数割当てパターンが隣接するセルに割り当てられる、少なくとも１対の前記シンボルに対してＳＦＢＣエンコードを実施することを含む実施形態１の方法。
【００３３】
３．複数の送信アンテナを介して、前記ＳＦＢＣエンコード済みのシンボルを送信することを含む実施形態２の方法。
【００３４】
４．セルが複数のグループに分割され、異なる周波数割当てパターンがセルの各グループに割り当てられる実施形態２又は３における方法。
【００３５】
５．前記周波数割当てパターンは、あるセル内の１対のシンボルにマッピングされた副搬送波が、隣のセル内の１対のシンボルにマッピングされた副搬送波にインタレースされるように規定される実施形態２ないし４のいずれか１つにおける方法。
【００３６】
６．前記周波数割当てパターンは、あるセル内の１対のシンボルにマッピングされた副搬送波が隣のセル内でシフトされるように規定される実施形態２ないし４のいずれか１つにおける方法。
【００３７】
７．送信アンテナの数は２である実施形態３ないし６のいずれか１つにおける方法。
【００３８】
８．送信アンテナの数は４である実施形態３ないし６のいずれか１つにおける方法。
【００３９】
９．セルが、７つのグループに分割され、７つの異なる周波数割当てパターンの１つが各グループに割り当てられる実施形態８の方法。
【００４０】
１０．ＳＦＢＣ通信における干渉を低減する方法。
【００４１】
１１．ＳＦＢＣエンコード済みのシンボルを受信することを含む実施形態１０の方法。
【００４２】
１２．相異なる周波数割当てパターンが隣接するセルに割り当てられ、サービングセルに割り当てられる周波数割当てパターンに従って、異なる副搬送波上の同じシンボルを組み合わせるために、前記受信されたＳＦＢＣエンコード済みのシンボルに対して前処理を実施することを含む実施形態１１の方法。
【００４３】
１３．ＳＦＢＣデコードを実施することを含む実施形態１２の方法。
【００４４】
１４．前記周波数割当てパターンは、あるセル内の１対のシンボルにマッピングされた副搬送波が、隣のセル内の１対のシンボルにマッピングされた副搬送波にインタレースされるように規定される実施形態１２又は１３における方法。
【００４５】
１５．前記周波数割当てパターンは、あるセル内の１対のシンボルにマッピングされた副搬送波が隣のセル内でシフトされるように規定される実施形態１２又は１３における方法。
【００４６】
１６．ＳＦＢＣ通信における干渉を低減するための装置
【００４７】
１７．少なくとも１対のシンボルに対してＳＦＢＣエンコードを実施するためのＳＦＢＣエンコーダであって、セルに割り当てられる周波数割当てパターンに従って前記シンボルが副搬送波に割り当てられ、相異なる周波数割当てパターンが隣接するセルに割り当てられる、ＳＦＢＣエンコーダを備える実施形態１６の装置。
【００４８】
１８．前記ＳＦＢＣエンコード済みのシンボルを送信するためのトランシーバを備える実施形態１７の装置。
【００４９】
１９．複数のアンテナを備える実施形態１８の装置。
【００５０】
２０．セルが複数のグループに分割され、異なる周波数割当てパターンがセルの各グループに割り当てられる実施形態１７ないし１９のいずれか１つにおける装置。
【００５１】
２１．前記周波数割当てパターンは、あるセル内の１対のシンボルにマッピングされた副搬送波が、隣のセル内の１対のシンボルにマッピングされた副搬送波にインタレースされるように規定される実施形態１７ないし２０のいずれか１つにおける装置。
【００５２】
２２．前記周波数割当てパターンは、あるセル内の１対のシンボルにマッピングされた副搬送波が隣のセル内でシフトされるように規定される実施形態１７ないし２０のいずれか１つにおける装置。
【００５３】
２３．アンテナの数は２である実施形態１９ないし２２のいずれか１つにおける装置。
【００５４】
２４．アンテナの数は４である実施形態１９ないし２２のいずれか１つにおける装置。
【００５５】
２５．セルが、７つのグループに分割され、７つの異なる周波数割当てパターンの１つが各グループに割り当てられる実施形態１７ないし２４のいずれか１つにおける装置。
【００５６】
２６．ＳＦＢＣ通信における干渉を低減する装置。
【００５７】
２７．アンテナを備える実施形態２６の装置。
【００５８】
２８．ＳＦＢＣエンコード済みのシンボルを受信するためのトランシーバを備える実施形態２７の装置。
【００５９】
２９．サービングセルに割り当てられる周波数割当てパターンに従って、異なる副搬送波上の同じシンボルを組み合わせるために、前記受信されたＳＦＢＣエンコード済みのシンボルに対して前処理を実施するためのプロセッサであって、相異なる周波数割当てパターンが隣接するセルに割り当てられる、プロセッサを備える実施形態２８の装置。
【００６０】
３０．ＳＦＢＣデコードを実施するためのＳＦＢＣデコーダを備える実施形態２９の装置。
【００６１】
３１．前記周波数割当てパターンは、あるセル内の１対のシンボルにマッピングされた副搬送波が、隣のセル内の１対のシンボルにマッピングされた副搬送波にインタレースされるように規定される実施形態２９又は３０における装置。
【００６２】
３２．前記周波数割当てパターンは、あるセル内の１対のシンボルにマッピングされた副搬送波が隣のセル内でシフトされるように規定される実施形態２９又は３０における装置。
【００６３】
本発明の特徴および要素が好ましい実施形態において特定の組合せで述べられているが、各特徴および要素は、好ましい実施形態の他の特徴および要素なしの単独で、または本発明の他の特徴および要素との、もしくは本発明の他の特徴および要素なしの様々な組合せで使用することができる。本発明において提供されている方法または流れ図は、汎用コンピュータまたはプロセッサによって実行するためのコンピュータ可読記憶媒体内で有形に実施されるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、ＣＤ−ＲＯＭディスクなど光媒体、およびデジタル多用途ディスク（ＤＶＤ）を含む。
【００６４】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／または状態機械を含む。
【００６５】
ソフトウェアに関連付けられたプロセッサを使用し、ワイヤレス送受信ユニット（ＷＴＲＵ）、ユーザ機器（ＵＥ）、端末、基地局、無線ネットワークコントローラ（ＲＮＣ）、または任意のホストコンピュータ内で使用するための無線周波数トランシーバを実装することができる。ＷＴＲＵは、カメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールなど、ハードウェアおよび／またはソフトウェアで実装されるモジュールと共に使用することができる。
【図１】
2010527209.tif 000008
【図２】
2010527209.tif 000009
【図３Ａ】
2010527209.tif 000010
【図３Ｂ】
2010527209.tif 000011
【図３Ｃ】
2010527209.tif 000012
【図３Ｄ】
2010527209.tif 000013
【図３Ｅ】
2010527209.tif 000014
【図３Ｆ】
2010527209.tif 000015
【図４】
2010527209.tif 000016
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
空間指数ブロック符号化（ＳＦＢＣ）通信における干渉を低減する方法であって、
セルに割り当てられる周波数割当てパターンに従ってシンボルが副搬送波に割り当てられ、相異なる周波数割当てパターンを隣接するセルに割り当てて、少なくとも１対の前記シンボルに対してＳＦＢＣエンコードを実施するステップと、
ＳＦＢＣエンコードされているシンボルを、複数の送信アンテナを介して送信するステップと
を具えたことを特徴とする方法。
【請求項２】
前記隣接するセルが複数のグループに分割され、異なる周波数割当てパターンがセルの各グループに割り当てられることを特徴とする請求項１記載の方法。
【請求項３】
前記周波数割当てパターンは、あるセル内の１対のシンボルにマッピングされた副搬送波が、隣のセル内の１対のシンボルにマッピングされた副搬送波にインタレースされるように規定されることを特徴とする請求項１記載の方法。
【請求項４】
前記周波数割当てパターンは、あるセル内の１対のシンボルにマッピングされた副搬送波が隣のセル内でシフトされるように規定されることを特徴とする請求項１記載の方法。
【請求項５】
空間指数ブロック符号化（ＳＦＢＣ）通信における干渉を低減する方法であって、
ＳＦＢＣエンコード済みのシンボルを受信するステップと、
相異なる周波数割当てパターンを隣接するセルに割り当てて、サービングセルに割り当てられる周波数割当てパターンに従って、異なる副搬送波上の同じシンボルを組み合わせるために、前記受信されたＳＦＢＣエンコード済みのシンボルに対して前処理を実施するステップと、および、
ＳＦＢＣデコードを実施するステップと
を具えたことを特徴とする方法。
【請求項６】
前記周波数割当てパターンは、あるセル内の１対のシンボルにマッピングされた副搬送波が、隣のセル内の１対のシンボルにマッピングされた副搬送波にインタレースされるように規定されることを特徴とする請求項５記載の方法。
【請求項７】
前記周波数割当てパターンは、あるセル内の１対のシンボルにマッピングされた副搬送波が隣のセル内でシフトされるように規定されることを特徴とする請求項５記載の方法。
【請求項８】
空間指数ブロック符号化（ＳＦＢＣ）通信における干渉を低減するための装置であって、
セルに割り当てられる周波数割当てパターンに従ってシンボルが副搬送波に割り当てられ、相異なる周波数割当てパターンを隣接するセルに割り当てて、少なくとも１対の前記シンボルに対してＳＦＢＣエンコードを実施するためのＳＦＢＣエンコーダと、
ＳＦＢＣエンコードされているシンボルを送信するためのトランシーバと、
複数のアンテナと
を具えたことを特徴とする装置。
【請求項９】
前記隣接するセルが複数のグループに分割され、異なる周波数割当てパターンがセルの各グループに割り当てられることを特徴とする請求項８記載の装置。
【請求項１０】
前記周波数割当てパターンは、あるセル内の１対のシンボルにマッピングされた副搬送波が、隣のセル内の１対のシンボルにマッピングされた副搬送波にインタレースされるように規定されることを特徴とする請求項８記載の装置。
【請求項１１】
前記周波数割当てパターンは、あるセル内の１対のシンボルにマッピングされた副搬送波が隣のセル内でシフトされるように規定されることを特徴とする請求項８記載の装置。
【請求項１２】
セルが、７つのグループに分割され、７つの異なる周波数割当てパターンの１つが各グループに割り当てられることを特徴とする請求項８記載の装置。
【請求項１３】
空間指数ブロック符号化（ＳＦＢＣ）通信における干渉を低減する装置であって、
アンテナと、
ＳＦＢＣエンコード済みのシンボルを受信するためのトランシーバと、
サービングセルに割り当てられる周波数割当てパターンに従って、異なる副搬送波上の同じシンボルを組み合わせるために、前記受信されたＳＦＢＣエンコード済みのシンボルに対して前処理を実施するためのプロセッサであって、相異なる周波数割当てパターンを隣接するセルに割り当てる、プロセッサと、
ＳＦＢＣデコードを実施するためのＳＦＢＣデコーダと
を備えることを特徴とする装置。
【請求項１４】
前記周波数割当てパターンは、あるセル内の１対のシンボルにマッピングされた副搬送波が、隣のセル内の１対のシンボルにマッピングされた副搬送波にインタレースされるように規定されることを特徴とする請求項１３記載の装置。
【請求項１５】
前記周波数割当てパターンは、あるセル内の１対のシンボルにマッピングされた副搬送波が隣のセル内でシフトされるように規定されることを特徴とする請求項１３記載の装置。
【国際調査報告】
2010527209.tif 000017
2010527209.tif 000018
2010527209.tif 000019